【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
必要赤外線光源を用いる画像システムにおける不要赤外線光源の影響を低下させる方法
であって、
（ａ）第１の画像キャプチャ区間中で必要赤外線光源を活性化するステップと、
（ｂ）第１の画像キャプチャ区間中で画像データの第１組を獲得するステップと、
（ｃ）第２の画像キャプチャ区間中で必要赤外線光源を非活性化するステップと、
（ｄ）第２の画像キャプチャ区間中で画像データの第２組を獲得するステップと、
（ｅ）画像データの第２組の第２値に対応する画像データの第１組の第１値から減じることで画像データの合成組を生成するステップであって、結果として生成される画像データの合成組は、必要赤外線光源から生成される照射による画像のみを含む、生成するステップと
を備えることを特徴とする方法。
【請求項２】
画像キャプチャ装置で発生させる画像キャプチャ信号により、必要赤外線光源を第１の画像キャプチャ区間中で活性化し、第２の画像キャプチャ区間中で非活性化するよう画像キャプチャ装置で必要赤外線光源の活性化を制御するステップ
をさらに備えることを特徴とする請求項１に記載の方法。
【請求項３】
（ａ）透光面の反対側に隣接して配設される対象物に赤外線を向けるよう必要赤外線光源を透光面の第１面に設置するステップと、
（ｂ）必要赤外線光源で生成され対象物に反射される赤外線を獲得するよう画像キャプチャ装置を透光面の第１面に設置するステップと
をさらに備えることを特徴とする請求項２に記載の方法。
【請求項４】
画像データの第１組の第１値が、必要赤外線光源が活性化されている際の第１の画像キャプチャ区間中で透光面の第１面にわたる複数点に対して獲得される赤外線の強度を示し、画像データの組の第２値が、必要赤外線光源が非活性化されている際の第２の画像キャプチャ区間中で透光面の第１面にわたる複数点に対して獲得される赤外線の強度を示すことを特徴とする請求項３に記載の方法。
【請求項５】
画像データの第２組の第２値に対応する画像データの第１組の第１値からの減算が、
Ｄ（ｘ，ｙ）＝ＩＯＮ（ｘ，ｙ）−ＩＯＦＦ（ｘ，ｙ）で定義され、
ここで：
（ａ）ｘ，ｙは、透光面の第１面のある点の座標位置を示し、
（ｂ）ＩＯＮ（ｘ，ｙ）は、点ｘ，ｙにおける第１の画像キャプチャ区間中で検出される赤外線の強度を示し、
（ｃ）ＩＯＦＦ（ｘ，ｙ）は、点ｘ，ｙにおける第２の画像キャプチャ区間中で検出される赤外線の強度を示し、
（ｄ）Ｄ（ｘ，ｙ）は、第２の画像キャプチャ区間中で点ｘ，ｙで獲得される赤外線の強度が、第１の画像キャプチャ区間中で点ｘ，ｙで獲得される赤外線の強度から減算される際の点ｘ，ｙにおける赤外線の正味強度を示す
ことを特徴とする請求項４に記載の方法。
【請求項６】
画像データの合成組を画像処理システムに送信するステップ
をさらに備えることを特徴とする請求項３に記載の方法。
【請求項７】
対象物の特性を認識するため、対象物に反射される赤外線を用いるステップ
をさらに備えることを特徴とする請求項６に記載の方法。
【請求項８】
透光面に向けられるプロジェクタからの光が、対象物と相互作用する透光面の反対側で見える画像を示すために用いられるよう透光面の第１面にプロジェクタを設置するステップ
をさらに備えることを特徴とする請求項３に記載の方法。
【請求項９】
必要赤外線光源を用いる画像システムにおける不要赤外線光源の影響を低下させる方法であって、
（ａ）画像キャプチャ装置で発生させた画像信号で必要赤外線光源の活性化を選択的に調整するステップと、
（ｂ）画像信号が第１の画像キャプチャ区間の開始点を示す場合に必要赤外線光源を活性化するステップと、
（ｃ）第１の画像キャプチャ区間中で画像データの第１組を獲得するステップと、
（ｄ）画像信号が第２の画像キャプチャ区間の開始点を示す場合に必要赤外線光源を非活性化するステップと、
（ｅ）第２の画像キャプチャ区間中で画像データの第２組を獲得するステップと、
（ｆ）画像データの第２組の第２値に対応する画像データを第１組の第１値から減じることで画像データの合成組を生成するステップであって、結果として生成される画像データの合成組は、必要赤外線光源から生成される照射による画像のみを含む、生成するステップと、
（ｇ）画像データの合成組を画像処理システムに送信するステップと
を備えることを特徴とする方法。
【請求項１０】
（ａ）透光面の反対側に隣接して配設される対象物に赤外線を向けるよう必要赤外線光源を透光面の第１面に設置するステップと、
（ｂ）対象物に反射される必要赤外線光源からの赤外線を獲得するよう画像キャプチャ装置を透光面の第１面に設置するステップと
対象物の特性を認識するため、対象物に反射される赤外線を用いるステップをさらに備えることを特徴とする請求項９に記載の方法。
【請求項１１】
（ａ）透光面の反対側に隣接して配設される対象物に赤外線を向けるよう必要赤外線光源を透光面の第１面に設置するステップと、
（ｂ）対象物に反射される必要赤外線光源からの赤外線を獲得するよう画像キャプチャ装置を透光面の第１面に設置するステップと
透光面に向けられたプロジェクタからの光が、対象物と相互作用する透光面の反対側で見える画像を示すために用いられるよう透光面の第１面にプロジェクタを設置するステップ
をさらに備えることを特徴とする請求項９に記載の方法。
【請求項１２】
必要赤外線光源と画像キャプチャ装置とを用いて透光面上に、あるいはそれに隣接するよう配設される対象物に対して画像データを獲得するための方法であって、
（ａ）赤外線を対象物に向けるよう必要赤外線光源を透光面の第１面に設置するステップと、
（ｂ）必要赤外線光源で投射され対象物で反射される赤外線を獲得するよう画像キャプチャ装置を透光面の第１面に設置するステップと、
（ｃ）画像信号が第１の画像キャプチャ区間の開始点を示す場合に必要赤外線光源を活性化するステップと、
（ｄ）第１の画像キャプチャ区間中で画像データの第１組を獲得するステップと、
（ｅ）画像信号が第２の画像キャプチャ区間の開始点を示す場合に必要赤外線光源を非活性化するステップと、
（ｆ）第２の画像キャプチャ区間中で画像データの第２組を獲得するステップと、
（ｇ）画像データの第２組の第２値に対応する画像データを第１組の第１値から減じることで画像データの合成組を生成するステップであって、結果として生成される画像データの合成組は、必要赤外線光源から生成される照射による画像のみを含む、生成するステップと
を備えることを特徴とする方法。
【請求項１３】
画像データの第１組の第１値が、必要赤外線光源が活性化されている際の第１の画像キャプチャ区間中で透光面の第１面にわたる複数点に対して獲得される赤外線の強度を示し、画像データの組の第２値が、必要赤外線光源が非活性化されている際の第２の画像キャプチャ区間中で透光面の第１面にわたる複数点に対して獲得される赤外線の強度を示すことを特徴とする請求項１２に記載の方法。
【請求項１４】
実行中のアプリケーションに入力を行うためのシステムであって、
（ａ）処理面と相互作用面とをもつ透光面であって、対象物を相互作用面上に、あるいはそれに隣接して配設できるよう構成され、処理面が相互作用面の反対側にある透光面と、
（ｂ）透光面の処理面に配設される必要赤外線光源であって、この必要赤外線光源が選択的に赤外線を照射し、これが透光面を通して相互作用面に伝えられて、透光面の相互作用面上に、あるいはそれに隣接して配設される対象物によって透光面を通して後方反射される赤外線光源と、
（ｃ）透光面の処理面に配設される画像キャプチャ装置であって、対象物とその場所とを検出するため、透光面を通過して相互作用表示面に画像形成する赤外線をこの画像キャプチャ装置が検出する画像キャプチャ装置と、
（ｄ）必要赤外線光源と画像キャプチャ装置に通信するプロセッサと、
（ｅ）プロセッサと通信するメモリであって、このメモリがデータとマシン命令とを保存し、マシン命令がプロセッサに複数の機能を実行させ、該機能が、
（ｉ）第１の画像キャプチャ区間中で必要赤外線光源を活性化するステップと、
（ｉｉ）画像キャプチャ装置を用いて第１の画像キャプチャ区間中で画像データの第１組を獲得するステップと、
（ｉｉｉ）第２の画像キャプチャ区間中で必要赤外線光源を非活性化するステップと、
（ｉｖ）画像キャプチャ装置を用いて第２の画像キャプチャ区間中で画像データの第２組を獲得するステップと、
（ｖ）画像データの第２組の第２値に対応する画像データの第１組の第１値から減算することで画像データの合成組を発生させるステップであって、結果として生成される画像データの合成組は、必要赤外線光源から生成される照射による画像のみを含み、画像キャプチャ装置で獲得され必要赤外線光源で照射されない赤外線の影響がデータの合成組で大幅に除去されるステップと
を含むメモリと
を備えたことを特徴とするシステム。
【請求項１５】
実行中のアプリケーションに入力を行うためのシステムであって、
（ａ）処理面と相互作用面とをもつ透光面であって、対象物を相互作用面上に、あるいはそれに隣接して配設できるよう構成され、処理面が相互作用面の反対側にある透光面と、
（ｂ）透光面の処理面に配設される画像キャプチャ装置であって、対象物とその場所とを検出するため、透光面を通過して相互作用表示面に画像形成する赤外線をこの画像キャプチャ装置が検出し、当該画像キャプチャ装置が画像キャプチャ信号を発生させるよう構成される画像キャプチャ装置と、
（ｃ）透光面の処理面に配設される必要赤外線光源であって、この必要赤外線光源が選択的に赤外線を照射し、これが透光面を通して相互作用面に伝えられて、透光面の相互作用面上に、あるいはそれに隣接して配設される対象物によって透光面を通して後方反射される赤外線光源と、
（ｄ）赤外線光源制御装置であって、
（ｉ）画像キャプチャ信号を受け入れ、
（ｉｉ）必要赤外線光源が、第１の画像キャプチャ区間を示す第１の画像キャプチャ信号受信時に活性化され、第２の画像キャプチャ区間を示す第２の画像キャプチャ信号受信時に非活性化されるよう画像キャプチャ信号受信に応じて必要赤外線光源を選択的に操作させる
よう構成される赤外線光源制御装置と、
（ｅ）赤外線光源および画像キャプチャ装置と通信するプロセッサと、
（ｆ）プロセッサと通信するメモリであって、このメモリがデータとマシン命令とを保存し、マシン命令がプロセッサに複数の機能を実行させ、該機能が、
（ｉ）画像キャプチャ装置を用いて第１の画像キャプチャ区間中で画像データの第１組を獲得するステップと、
（ｉｉ）画像キャプチャ装置を用いて第２の画像キャプチャ区間中で画像データの第２組を獲得するステップと、
（ｉｉｉ）画像データの第２組の第２値に対応する画像データの第１組の第１値から減算することで画像データの合成組を発生させるステップであって、結果として生成される画像データの合成組は、必要赤外線光源から生成される照射による画像のみを含み、画像キャプチャ装置で獲得される不要赤外線の影響がデータの合成組で大幅に相殺されるステップと
を含むメモリと
を備えたことを特徴とするシステム。
【請求項１６】
画像データの第１組の第１値が、必要赤外線光源が活性化されている際の第１の画像キ
ャプチャ区間中で透光面の第１面にわたる複数点に対して画像キャプチャ装置で獲得され
る赤外線の強度を示し、画像データ組の第２値が、必要赤外線光源が非活性化されている
際の第２の画像キャプチャ区間中で透光面の第１面にわたる複数点に対して獲得される赤
外線の強度を示すことを特徴とする請求項１４または１５に記載のシステム。
【請求項１７】
メモリに保存されるマシン命令により、さらに、プロセッサに画像データの第２組の第２値に対応する画像データの第１組の第１値からの減算を行わせ、この減算が、
Ｄ（ｘ，ｙ）＝ＩＯＮ（ｘ，ｙ）−ＩＯＦＦ（ｘ，ｙ）で定義され、
ここで、
（ａ）ｘ，ｙは、透光面の第１面のある点の座標位置を示し、
（ｂ）ＩＯＮ（ｘ，ｙ）は、点ｘ，ｙにおける第１の画像キャプチャ区間中で画像キャプチャ装置により検出される赤外線の強度を示し、
（ｃ）ＩＯＦＦ（ｘ，ｙ）は、点ｘ，ｙにおける第２の画像キャプチャ区間中で画像キャプチャ装置により検出される赤外線の強度を示し、
（ｄ）Ｄ（ｘ，ｙ）は、第２の画像キャプチャ区間中で点ｘ，ｙにおいて獲得される赤外線の強度が、第１の画像キャプチャ区間中で点ｘ，ｙにおいて獲得される赤外線の強度から減算される際の点ｘ，ｙにおける赤外線の正味強度を示す
ことを特徴とする請求項１６に記載のシステム。
【請求項１８】
メモリに保存されるマシン命令により、さらに、対象物の特性を認識するため、プロセッサに対象物に反射される赤外線を用いさせることを特徴とする請求項１４または１５に記載のシステム。
【請求項１９】
プロジェクタで生成される光が透光面に向けられ、対象物と相互作用する透光面の相互作用面で見える画像を示すために用いられるよう透光面の処理面に設置されるプロジェクタ
をさらに備えたことを特徴とする請求項１４または１５に記載のシステム。